【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
第１色光、第２色光及び第３色光を含む光を射出する照明装置と、
前記照明装置からの光のうち前記第１色光、前記第２色光及び前記第３色光のいずれか一つの色光を反射し他の色光を透過する第１ダイクロイックミラー及び前記第１ダイクロイックミラーを透過した前記他の色光のうち一つの色光を反射し他の色光を透過する第２ダイクロイックミラーを有し、前記照明装置からの光を前記第１〜第３色光に分離する第１色分離光学系と、前記第１色分離光学系で分離された前記第１〜第３色光をそれぞれ変調する第１〜第３光変調素子と、前記第１〜第３光変調素子でそれぞれ変調された前記第１〜第３色光を合成して第１画像光を射出するクロスダイクロイックプリズムからなる第１色合成光学系と、
前記照明装置からの光のうち前記第１色光、前記第２色光及び前記第３色光のいずれか一つの色光を透過し他の色光を反射する第３ダイクロイックミラー及び前記第３ダイクロイックミラーで反射した前記他の色光のうち一つの色光を反射し他の色光を透過する第４ダイクロイックミラーを有し、前記照明装置からの光を前記第１〜第３色光に分離する第２色分離光学系と、前記第２色分離光学系で分離された前記第１〜第３色光をそれぞれ変調する第４〜第６光変調素子と、前記第４〜第６光変調素子でそれぞれ変調された前記第１〜第３色光を合成して第２画像光を射出するクロスダイクロイックプリズムからなる第２色合成光学系と、
前記第１色合成光学系から射出された前記第１画像光と、前記第２色合成光学系から射出された前記第２画像光とを合成する偏光合成光学系と、
前記偏光合成光学系で合成された画像光を投写する投写光学系と、を備え、
前記第１〜第３色光のそれぞれについて、
前記第１ダイクロイックミラーにおける照明光軸に沿って手前側の領域で反射又は透過する色光と、前記第３ダイクロイックミラーにおける照明光軸に沿って手前側の領域で反射又は透過する色光とは、投写面上で左右反対に投写されるように構成され、
前記第２ダイクロイックミラーにおける照明光軸に沿って手前側の領域で反射又は透過する色光と、前記第４ダイクロイックミラーにおける照明光軸に沿って手前側の領域で反射又は透過する色光とは、投写面上で左右反対に投写されるように構成されていることを特徴とするプロジェクタ。
【請求項２】
請求項１に記載のプロジェクタにおいて、
前記照明装置からの光を第１偏光成分を有する光と第２偏光成分を有する光とに分離する偏光分離光学系と、
前記偏光分離光学系で分離された前記第１偏光成分を有する光を前記第１色分離光学系に導光する第１導光光学系と、
前記偏光分離光学系で分離された前記第２偏光成分を有する光を前記第２色分離光学系に導光する第２導光光学系とをさらに備えることを特徴とするプロジェクタ。
【請求項３】
請求項２に記載のプロジェクタにおいて、
前記偏光分離光学系と前記第１ダイクロイックミラーとの間であって、前記第４ダイクロイックミラーと前記第６光変調素子との間に配置され、前記偏光分離光学系から入射された光を反射する面と前記第４ダイクロイックミラーを透過した前記第３色光を反射する面とを有する第１両面反射ミラーをさらに備えることを特徴とするプロジェクタ。
【請求項４】
請求項３に記載のプロジェクタにおいて、
前記第４ダイクロイックミラーを透過した前記第３色光を前記第６光変調素子に導くリレー光学系を備え、前記第１両面反射ミラーを前記リレー光学系の反射ミラーとして兼用することを特徴とするプロジェクタ。
【請求項５】
請求項１に記載のプロジェクタにおいて、
前記照明装置として、前記第１色分離光学系に向けて第１偏光成分を有する光を射出する第１照明装置と、前記第２色分離光学系に向けて第２偏光成分を有する光を射出する第２照明装置とを備えることを特徴とするプロジェクタ。
【請求項６】
請求項１〜５のいずれか一項に記載のプロジェクタにおいて、
前記第１色分離光学系、前記第１〜第３光変調素子及び前記第１色合成光学系と、前記第２色分離光学系、前記第４〜第６光変調素子及び前記第２色合成光学系と、前記偏光合成光学系とは、略同一平面上に配置されていることを特徴とするプロジェクタ。
【請求項７】
請求項１〜６のいずれか一項に記載のプロジェクタにおいて、
前記第１ダイクロイックミラーと前記第１光変調素子との間であって、前記第４ダイクロイックミラーと前記第６光変調素子との間に配置され、前記第１ダイクロイックミラーで反射された前記第１色光を反射する面と前記第４ダイクロイックミラーを透過した前記第３色光を反射する面とを有する第２両面反射ミラーをさらに備えることを特徴とするプロジェクタ。
【請求項８】
請求項７に記載のプロジェクタにおいて、
前記第４ダイクロイックミラーを透過した前記第３色光を前記第６光変調素子に導くリレー光学系を備え、前記第２両面反射ミラーを前記リレー光学系の反射ミラーとして兼用することを特徴とするプロジェクタ。
【請求項９】
第１色光、第２色光及び第３色光を含む光を射出する照明装置と、
前記照明装置からの光のうち前記第１色光、前記第２色光及び前記第３色光のいずれか一つの色光を反射し他の色光を透過する第１ダイクロイックミラー及び前記第１ダイクロイックミラーを透過した前記他の色光のうち一つの色光を反射し他の色光を透過する第２ダイクロイックミラーを有し、前記照明装置からの光を前記第１〜第３色光に分離する第１色分離光学系と、前記第１色分離光学系で分離された前記第１〜第３色光をそれぞれ変調する第１〜第３光変調素子と、前記第１〜第３光変調素子でそれぞれ変調された前記第１〜第３色光を合成して第１画像光を射出するクロスダイクロイックプリズムからなる第１色合成光学系と、
前記照明装置からの光のうち前記第１色光、前記第２色光及び前記第３色光のいずれか一つの色光を反射し他の色光を透過する第３ダイクロイックミラー及び前記第３ダイクロイックミラーを透過した前記他の色光のうち一つの色光を反射し他の色光を透過する第４ダイクロイックミラーを有し、前記照明装置からの光を前記第１〜第３色光に分離する第２色分離光学系と、前記第２色分離光学系で分離された前記第１〜第３色光をそれぞれ変調する第４〜第６光変調素子と、前記第４〜第６光変調素子でそれぞれ変調された前記第１〜第３色光を合成して第２画像光を射出するクロスダイクロイックプリズムからなる第２色合成光学系と、
前記第１色合成光学系から射出された前記第１画像光と、前記第２色合成光学系から射出された前記第２画像光とを合成する偏光合成光学系と、
前記偏光合成光学系で合成された画像光を投写する投写光学系とを備え、
前記第１〜第３色光のそれぞれについて、
前記第１ダイクロイックミラーにおける照明光軸に沿って手前側の領域で反射又は透過する色光と、前記第３ダイクロイックミラーにおける照明光軸に沿って手前側の領域で反射又は透過する色光とは、投写面上で左右反対に投写されるように構成され、
前記第２ダイクロイックミラーにおける照明光軸に沿って手前側の領域で反射又は透過する色光と、前記第４ダイクロイックミラーにおける照明光軸に沿って手前側の領域で反射又は透過する色光とは、投写面上で左右反対に投写されるように構成されていることを特徴とするプロジェクタ。
【請求項１０】
請求項９に記載のプロジェクタにおいて、
前記照明装置として、前記第１色分離光学系に向けて第１偏光成分を有する光を射出する第１照明装置と、前記第２色分離光学系に向けて第２偏光成分を有する光を射出する第２照明装置とを備えることを特徴とするプロジェクタ。
【請求項１１】
請求項９または１０に記載のプロジェクタにおいて、
前記第１色分離光学系、前記第１〜第３光変調素子及び前記第１色合成光学系と、前記第２色分離光学系、前記第４〜第６光変調素子及び前記第２色合成光学系とは、異なる水平面上に配置されていることを特徴とするプロジェクタ。
【請求項１２】
請求項１１に記載のプロジェクタにおいて、
前記第１色合成光学系と前記偏光合成光学系との間又は前記第２色合成光学系と前記偏光合成光学系との間に配置され、前記第１色合成光学系から射出された前記第１画像光又は前記第２色合成光学系から射出された前記第２画像光を前記偏光合成光学系に向けて反射する反射ミラーをさらに備えることを特徴とするプロジェクタ。
【手続補正２】
【補正対象書類名】図面
【補正対象項目名】図９
【補正方法】変更
【補正の内容】
【図９】
2009230148.tif 000001